(57)【特許請求の範囲】
【請求項１】
共振回路と増幅回路とを有し、
前記共振回路は、一端が前記増幅回路に接続され、他端が可変容量ダイオードを介してＧＮＤに接続されたインダクタと、コンデンサを搭載することができる第二のランドとを有し、
前記第二のランドは、一端が前記インダクタの前記増幅回路に接続される側の一端に接続され、他端がＧＮＤに接続され、前記第二のランドの他端と前記ＧＮＤとの間に線路素子が設けられている、ことを特徴とする電圧制御発振器。
【請求項２】
共振回路と増幅回路とを有し、
前記共振回路は、一端が前記増幅回路に接続され、他端が可変容量ダイオードを介してＧＮＤに接続されたインダクタと、コンデンサを搭載することができる第一及び第二のランドとを有し、
前記第一のランドは、一端が前記インダクタの一端に接続され他端が前記インダクタの他端に接続され、前記第二のランドは、一端が前記インダクタの前記増幅回路に接続される側の一端に接続され他端がＧＮＤに接続され、前記第二のランドの他端と前記ＧＮＤとの間に線路素子が設けられている、ことを特徴とする電圧制御発振器。
【請求項３】
前記可変容量ダイオードとＧＮＤとの間に線路素子が設けられていることを特徴とする、請求項１又は請求項２に記載の電圧制御発振器。
【請求項４】
前記第二のランドの他端とＧＮＤとの間に設けられる線路素子は、ＧＮＤとの接続を切断することによりインピーダンスを変化させるための調整端子を少なくとも一つ有することを特徴とする、請求項１乃至請求項３のいずれか１つに記載の電圧制御発振器。
【請求項５】
前記第二のランドの他端とＧＮＤとの間に設けられる線路素子は、該線路素子の線路の長さ方向に間隔を介した異なる位置でＧＮＤにそれぞれ接続される調整端子を有しており、該それぞれの調整端子は、ＧＮＤとの接続を切断することによりインピーダンスを変化させることを特徴とする、請求項１乃至請求項３のいずれか１つに記載の電圧制御発振器。
【請求項６】
前記可変容量ダイオードとＧＮＤとの間に設けられる線路素子は、ＧＮＤとの接続を切断することによりインピーダンスを変化させるための調整端子を少なくとも一つ有することを特徴とする、請求項３に記載の電圧制御発振器。
【請求項７】
前記可変容量ダイオードとＧＮＤとの間に設けられる線路素子は、該線路素子の線路の長さ方向に間隔を介した異なる位置でＧＮＤにそれぞれ接続される調整端子を有しており、該それぞれの調整端子は、ＧＮＤとの接続を切断することによりインピーダンスを変化させることを特徴とする、請求項３に記載の電圧制御発振器。
【請求項８】
請求項１乃至７のいずれか１つに記載の電圧制御発振器を用いたことを特徴とする電子装置。
【発明の詳細な説明】
【０００１】
【発明の属する技術分野】
本発明は、電圧制御発振器及びこれを用いた電子装置、特に通信機に使用される電圧制御発振器及びこれを用いた電子装置に関する。
【０００２】
【従来の技術】
近年、携帯電話等の電子装置の普及により、多様な発振周波数に対応した電圧制御発振器が求められている。しかしながら、多様な発振周波数に対応した電圧制御発振器を提供するために、それぞれの発振周波数毎に、新しい回路基板を設計する方法では、非常にコストがかかる。そのため、電圧制御発振器の発振周波数を切替えるために、共振回路のインダクタンス成分をストリップラインで構成し、ストリップラインを削ってインダクタンス成分を変えることにより発振周波数を切替えるという方法が行われる。
【０００３】
また、電圧制御発振器を設計する際にはコンピュータによるシミュレーションを用いることが多いが、シミュレーションによる理論値と実際に作った製品の測定値との間には誤差がある。この誤差を補正するために共振回路のストリップラインを削って、そのインダクタンス成分を変更するという方法も一般に行われる。
【０００４】
また、Ｃ／Ｎ特性等の電気特性を調整する作業も、共振回路のストリップラインを削ることにより行われる。
【０００５】
ここで、図６に、従来の電圧制御発振器を示す。図６において、電圧制御発振器３は、共振回路３１と増幅回路１２とを有する。共振回路３１は、ストリップラインであるインダクタＬ１の一端がコンデンサＣ２を介して増幅回路１２に接続され、他端が可変容量ダイオードＶＤ１のカソードに接続されている。可変容量ダイオードＶＤ１のカソードは、更に、チョークコイルであるインダクタＬ３を介して制御電圧端子ａ２に接続され、可変容量ダイオードＶＤ１のアノードはＧＮＤに接続されている。コンデンサＣ２は結合コンデンサである。
【０００６】
増幅回路１２は、増幅素子であるトランジスタＴｒ１のベースに共振回路３１が接続されている。トランジスタＴｒ１のエミッタは、コンデンサＣ７を介して出力端子ａ３に接続されている。トランジスタＴｒ１のコレクタは、コンデンサＣ４を介して接地されている。電源端子ａ４は、コンデンサＣ５を介して接地され、チョークコイルであるインダクタＬ４を介してトランジスタＴｒ１のコレクタに接続されている。また、トランジスタＴｒ１のベースとエミッタは、抵抗Ｒ１、Ｒ２、Ｒ３によりバイアスされている。そして、トランジスタＴｒ１のベース−エミッタ間には、コンデンサＣ３が接続されている。
【０００７】
このような構成を有する電圧制御発振器３は、発振周波数の切替やＣ／Ｎ特性等の電気特性に大きく寄与する回路要素であるインダクタＬ１を調整することにより、発振周波数の切替やＣ／Ｎ特性等の電気特性の改善ができる。
【０００８】
また、このような構成を有する電圧制御発振器３は、可変容量ダイオードＶＤ１とインダクタＬ１とが直列に接続され、発振周波数の広帯域化に適した直列共振回路を構成している。このような直列共振回路は、特に、発振周波数の可変幅が発振周波数の１０％よりも大きいときには、共振回路３１の損失が発振周波数にほとんど依存しないという特性がある。
【０００９】
【発明が解決しようとする課題】
電圧制御発振器３において、直列共振回路を有する共振回路３１は、ストリップラインで構成したインダクタＬ１をレーザ等で削ることにより、発振周波数の切替やＣ／Ｎ特性等の電気特性の改善をすることができる。
【００１０】
しかし、インダクタＬ１は、主な信号が通る部分であるため、この部分を調整する際には、非常に細かい調整が必要になり、作業効率が悪くなるという問題がある。また、インダクタＬ１は、主な信号が通る部分であるため、この部分を調整することにより電圧制御発振器３の電気特性が劣化し、又は発振周波数が不安定化し易くなるという問題がある。また、全ての製品に対して一律に、インダクタＬ１を削る工程が必要になるため作業効率が悪くなるという問題がある。そして、これらの問題は、発振周波数の切替え幅が大きい場合には、さらに深刻になる。
【００１１】
そこで本発明は、発振周波数の切替え幅が大きいときでも、容易に、発振周波数の切替やＣ／Ｎ特性等の電気特性の改善ができる電圧制御発振器を提供することを目的とする。
【００１２】
また、本発明は、ストリップラインを削らずに、発振周波数を大きく切替えることができる電圧制御発振器を提供することを目的とする。
【００１３】
また、本発明は、発振周波数の切替やＣ／Ｎ特性等の電気特性の改善をするために、ストリップラインを削って共振回路の一部を調整する場合でも、電圧制御発振器の電気特性の劣化や発振周波数の不安定化を生じにくい電圧制御発振器を提供することを目的とする。
【００１４】
【課題を解決するための手段】
上記目的を達成するために、本発明の電圧制御発振器は、共振回路と増幅回路とを有し、前記共振回路は、一端が前記増幅回路に接続され、他端が可変容量ダイオードを介してＧＮＤに接続されたインダクタと、コンデンサを搭載することができる第二のランドとを有し、前記第二のランドは、一端が前記インダクタの前記増幅回路に接続される側の一端に接続され、他端がＧＮＤに接続され、前記第二のランドの他端と前記ＧＮＤとの間に線路素子が設けられていることを特徴とする。
【００１６】
また、本発明の電圧制御発振器は、共振回路と増幅回路とを有し、前記共振回路は、一端が前記増幅回路に接続され、他端が可変容量ダイオードを介してＧＮＤに接続されたインダクタと、コンデンサを搭載することができる第一及び第二のランドとを有し、前記第一のランドは、一端が前記インダクタの一端に接続され他端が前記インダクタの他端に接続され、前記第二のランドは、一端が前記インダクタの前記増幅回路に接続される側の一端に接続され他端がＧＮＤに接続され、前記第二のランドの他端と前記ＧＮＤとの間に線路素子が設けられていることを特徴とする。
【００１８】
また、本発明の電圧制御発振器は、前記可変容量ダイオードとＧＮＤとの間に線路素子が設けられていることを特徴とする。
【００１９】
また、本発明の電圧制御発振器は、前記第二のランドの他端とＧＮＤとの間に設けられる線路素子が、ＧＮＤとの接続を切断することによりインピーダンスを変化させるための調整端子を少なくとも一つ有することを特徴とする。さらに、本発明の電圧制御発振器は、前記第二のランドの他端とＧＮＤとの間に設けられる線路素子が、該線路素子の線路の長さ方向に間隔を介した異なる位置でＧＮＤにそれぞれ接続される調整端子を有しており、該それぞれの調整端子は、ＧＮＤとの接続を切断することによりインピーダンスを変化させる構成としたことも特徴としている。さらに、本発明の電圧制御発振器は、前記可変容量ダイオードとＧＮＤとの間に設けられる線路素子が、ＧＮＤとの接続を切断することによりインピーダンスを変化させるための調整端子を少なくとも一つ有する構成を備えることや、前記可変容量ダイオードとＧＮＤとの間に設けられる線路素子が、該線路素子の線路の長さ方向に間隔を介した異なる位置でＧＮＤにそれぞれ接続される調整端子を有しており、該それぞれの調整端子は、ＧＮＤとの接続を切断することによりインピーダンスを変化させる構成を備えていることをも特徴としている。
【００２０】
また、本発明の電子装置は、前記電圧制御発振器を用いたことを特徴とする。
【００２１】
このように構成することにより、本発明の電圧制御発振器は、主な信号が通る部分であるインダクタを削ることなく、発振周波数の切替ができるため、電気特性の劣化や発振周波数の不安定化を生じにくい。
【００２２】
また、本発明の電圧制御発振器は、発振周波数の切替やＣ／Ｎ特性の改善等のために、主な信号が通る部分であるインダクタを削る必要がないので、インダクタとしてＱ値の高いチップコイルを用いることができる。そして、その場合には、Ｃ／Ｎ特性等の電気特性の向上を図ることができる。
【００２３】
また、本発明の電圧制御発振器は、第一及び第二のランドに搭載されたディスクリートのコンデンサの容量値を変更することにより発振周波数を大きく切替えることができるため、ストリップラインを削る必要をなくす、又は、削る量を少なくすることができるので、作業効率がよくなる。
【００２４】
また、本発明の電圧制御発振器の線路素子は、切断する場所により、発振周波数やＣ／Ｎ特性等の電気特性の調整量の大きさが異なるので、適当な場所を選ぶことにより、発振周波数の調整やＣ／Ｎ特性等の電気特性の調整が容易にできる。
【００２５】
また、本発明の電圧制御発振器の共振回路は、発振周波数やＣ／Ｎ特性等の電気特性の調整をするための回路要素として、大きな量の調整ができる第一及び第二のランドと、微少量の調整ができる線路素子とを有するため、設計の自由度が増し、発振周波数やＣ／Ｎ特性等の電気特性の調整が容易にできる。
【００２６】
また、本発明の通信機は、電気特性の劣化や発振周波数の不安定化を生じにくい本発明の電圧制御発振器を用いているため、電子装置としての出力特性がよい。
【００２７】
【発明の実施の形態】
図１に本発明の電圧制御発振器の一実施例を示す。なお、図１において、図６と同一もしくは同等の部分には同じ記号を付し、説明を省略する。
【００２８】
図１において、電圧制御発振器１の共振回路１１は、共振回路３１に加えて、第一のランドＬａｎｄ１と、第二のランドＬａｎｄ２と、コンデンサＣ１ａと、コンデンサＣ１ｂと、線路素子であるインダクタＬ２ａ，Ｌ２ｂとを有する。ここで、第一のランドＬａｎｄ１及び第二のランドＬａｎｄ２は、チップ部品を搭載するための一対の電極パターンである。そして、第一のランドＬａｎｄ１には、コンデンサＣ１ａが搭載され、第二のランドＬａｎｄ２には、コンデンサＣ１ｂが搭載されている。また、インダクタＬ１の一端は、第一のランドＬａｎｄ１の一方と、第二のランドＬａｎｄ２の一方とに接続され、コンデンサＣ２を介して増幅回路１２に接続されている。インダクタＬ１の他端は、可変容量ダイオードＶＤ１のカソードと、第一のランドＬａｎｄ１の他方とに接続され、インダクタＬ３を介して制御電圧端子ａ２に接続されている。可変容量ダイオードＶＤ１のアノードは、インダクタＬ２ａを介して接地されている。第二のランドＬａｎｄ２の他方はインダクタＬ２ｂを介して接地されている。なお、インダクタＬ２ａ、Ｌ２ｂは、ストリップラインで構成され、コンデンサＣ１ａ、Ｃ１ｂは、周知のチップコンデンサで構成されている。
【００２９】
ここで、図２（ａ）、（ｂ）を用いて、１．８ＧＨｚの発振周波数を持つ本発明の電圧制御発振器１ａを３ＧＨｚの発振周波数を持つ本発明の電圧制御発振器１ａ′に切替える方法を説明する。図２（ａ）は１．８ＧＨｚの発振周波数を持つ電圧制御発振器１ａの平面図であり、図２（ｂ）は３ＧＨｚの発振周波数を持つ電圧制御発振器１ａ′の平面図である。図２（ａ）、（ｂ）において、図１と同一もしくは同等の部分には同じ記号を付し、説明を省略する。
【００３０】
図２（ａ）、（ｂ）に示した電圧制御発振器１ａ、１ａ′は、図１に示した共振回路１１から、第一のランドＬａｎｄ１とコンデンサＣ１ａとインダクタＬ２ａとを取り除いた構成である共振回路１１ａ、１１ａ′を有する。そして、電圧制御発振器１ａ、１ａ′の基板１３には、回路配線と、第二のランドＬａｎｄ２と、ストリップラインであるインダクタＬ１、Ｌ２ｂとが印刷され、コンデンサＣ１ｂ、Ｃ１ｂ′、Ｃ２と可変容量ダイオードＶＤ１とインダクタＬ３と増幅回路１２とが搭載されている。
【００３１】
ここで、以下の第一工程、第二工程を順に施すことにより、１．８ＧＨｚの発振周波数を持つ電圧制御発振器１ａを、３ＧＨｚの発振周波数を持つ電圧制御発振器１ａ′に切替えることができる。
【００３２】
まず、第一工程は、コンデンサＣ１ｂを第二のランドＬａｎｄ２から取り外す工程である。このとき、コンデンサＣ１ｂにチップコンデンサを用いているため、取り外しが容易にできる。なお、コンデンサＣ１ｂを取り外した状態で発振周波数が３ＧＨｚになった場合は、以下の工程を行う必要がない。
【００３３】
第二工程は、コンデンサＣ１ｂの容量と異なる容量値を持つコンデンサＣ１ｂ′を、第二のランドＬａｎｄ２に接続する工程である。ここで、コンデンサＣ１ｂ、Ｃ１ｂ′の容量値を、コンデンサＣ１ｂからコンデンサＣ１ｂ′への載せ替えのみで、発振周波数が１．８ＧＨｚから３ＧＨｚに切替わるように設定しておけば、作業効率が非常によくなる。
【００３４】
このような構成を有する電圧制御発振器１ａは、インダクタＬ１と同様にコンデンサＣ１ｂの容量値が発振周波数の切替に大きく寄与する。したがって、インダクタＬ１の特性をそのままにした状態で、コンデンサＣ１ｂを適当な容量値に変更することにより、発振周波数の切替ができる。
【００３５】
つまり、本発明の電圧制御発振器１ａ、１ａ′は、回路パターンの印刷された同一の基板の第二のランドＬａｎｄ２に、適当な容量値のチップコンデンサを載せかえるだけの作業で、様々な発振周波数に切替えることができる。
【００３６】
なお、ここでは一つの電圧制御発振器１ａの発振周波数を別の発振周波数に切替える方法について説明したが、本発明のポイントは発振周波数を切替える点にあるのではなく、第一のランドＬａｎｄ１、第二のランドＬａｎｄ２にコンデンサＣ１ａ、Ｃ１ｂを実装するかしないか、あるいはどのような値のコンデンサを実装するかによって、様々な発振周波数の電圧制御発振器を実現できるという点にある。
【００３７】
なお、図２（ａ）、（ｂ）に示したように、本発明の電圧制御発振器１ａ、１ａ′は、ストリップラインであるインダクタＬ２ｂを有する。インダクタＬ２ｂは、主な信号が通る部分ではなく、また、発振周波数やＣ／Ｎ特性等の電気特性に対する影響が比較的少ない。したがって、本発明の電圧制御発振器１ａ、１ａ′は、発振周波数を切替えた後で必要があれば、インダクタＬ２ｂをレーザ等で削ることにより、発振周波数やＣ／Ｎ特性等の電気特性を微調整することができる。
【００３８】
ここで、図３に、インダクタＬ２ｂの拡大図を示し、電圧制御発振器１ａ′を微調整する方法について説明する。まず、図３に示したインダクタＬ２ｂを含む電圧制御発振器１ａ′の発振周波数が３ＧＨｚであった場合、インダクタＬ２ｂを一点鎖線ｘ１の近傍で切断することにより発振周波数を約８０ＭＨｚ下げることができる。そして、インダクタＬ２ｂを一点鎖線ｘ２の近傍で切断することにより発振周波数を約２０ＭＨｚ下げることができる。また、インダクタＬ２ｂを一点鎖線ｘ３の近傍で切断することにより発振周波数を約２ＭＨｚ下げることができる。このように、切断場所を適宜選択することにより、所望の値だけ発振周波数を変化させることができる。
【００３９】
また、図３に示したインダクタＬ２ｂは、ＧＮＤとの間に接続されている調整端子ｇ１と調整端子ｇ２とを有している。したがって、インダクタＬ２ｂのインピーダンスは、調整端子ｇ１、ｇ２の一方をＧＮＤから切断することにより調整することもできる。なお、図３に示したインダクタＬ２ｂを、一点鎖線ｘ４で切断することにより発振周波数を調整することもできる。
【００４０】
そして、一点鎖線ｘ１、ｘ２、ｘ３を切断した場合に比べて、一点鎖線ｘ４、調整端子ｇ１、ｇ２を切断した場合は、大きな幅で発振周波数、又は、Ｃ／Ｎ特性等の電気特性を変化させることができる。また、これらの切断場所を組み合わせることにより、設計の自由度が更に向上するため、パターンスペースを広げなくても、容易に、発振周波数の調整とＣ／Ｎ特性等の電気特性の改善とを図ることができる。
【００４１】
なお、図２（ａ）、（ｂ）の電圧制御発振器１ａ、１ａ′においては、第二のランドＬａｎｄ２、コンデンサＣ１ｂ、Ｃ１ｂ′を用いて発振周波数の切替を説明したが、図１の電圧制御発振器１においても、第一のランドＬａｎｄ１、第二のランドＬａｎｄ２、コンデンサＣ１ａ、Ｃ１ｂ、インダクタＬ２ａ、Ｌ２ｂを用いて、同様に発振周波数の切替ができる。
【００４２】
次に、図４に電圧制御発振器の共振回路の参考例を示す。図４において、図１と同一もしくは同等の部分には同じ記号を付し、説明を省略する。
【００４３】
図４（ａ）において共振回路１１ｂは、図１に示した共振回路１１から、インダクタＬ２ａとインダクタＬ２ｂとを取り除いた構成である。
【００４４】
このような構成を有する共振回路１１ｂは、ストリップラインであるインダクタＬ２ａとインダクタＬ２ｂとを設けていないが、第一のランドＬａｎｄ１、第二のランドＬａｎｄ２、コンデンサＣ１ａ、Ｃ１ｂを用いて、発振周波数の切替をすることができる。なお、インダクタＬ２ａ又はインダクタＬ２ｂの一方のみを取り除いた場合も、同様の作用効果を奏するものである。
【００４５】
図４（ｂ）において、共振回路１１ｃは、更に、図４（ａ）に示した第二のランドＬａｎｄ２とコンデンサＣ１ｂとを取り除いた構成を有する。このように、第一のランドＬａｎｄ１及びコンデンサＣ１ａのみでも、発振周波数の切替をすることができる。また、図４（ｂ）は、図４（ａ）に示した共振回路１１ｂから第二のランドＬａｎｄ２及びコンデンサＣ１ｂとを取り除いた構成であっても、コンデンサＣ１ｂのみを取り除いた構成であってもよい。なお、図４（ａ）に示した共振回路１１ｂから、コンデンサＣ１ｂの代わりにコンデンサＣ１ａを取り除いた場合も、図４（ｂ）と同様の作用効果を奏する。
【００４６】
なお、本発明の電圧制御発振器は、共振回路、増幅回路、線路素子の構成が実施例に例示した構成に限られるものではなく、インダクタ及び線路素子としてマイクロストリップラインなどを用いてもよい。
【００４７】
次に、図５に本発明の電子装置の一実施例である通信機のブロック図を示す。図５において、通信機２は、信号処理回路２１と帯域通過フィルタ２２、２６、３０、３４と増幅器２３、２７、３１、３５とミキサ２５、３３とデュプレクサ２８とアンテナ２９と、本発明の電圧制御発振器１ｂ、１ｃとで構成されている。ここで、信号処理回路２１の出力は帯域通過フィルタ２２と増幅器２３とを直列に介してミキサ２５に接続されている。また、電圧制御発振器１ｂの出力もミキサ２５に接続されている。そして、ミキサ２５の出力は、帯域通過フィルタ２６と増幅器２７とを直列に介して、アンテナ２９に接続されたデュプレクサ２８に接続されている。そして、デュプレクサ２８は、帯域通過フィルタ３０と増幅器３１とを直列に介してミキサ３３に接続されている。電圧制御発振器１ｃの出力もミキサ３３に接続されている。ミキサ３３の出力は、帯域通過フィルタ３４と増幅器３５とを直列に介して信号処理回路２１に接続されている。
【００４８】
このように構成された通信機２において、まず送信時には、信号処理回路２１で作られた出力信号は、帯域通過フィルタ２２で不要な信号が取り除かれ、増幅器２３で増幅され、ミキサ２５で電圧制御発振器１ｂからの信号と掛け合わされてＲＦ信号に周波数変換され、帯域通過フィルタ２６で不要な信号が取り除かれ、増幅器２７で増幅され、デュプレクサ２８を経由して、アンテナ２９から放射される。また、受信時には、アンテナ２９で受信したＲＦ信号は、デュプレクサ２８を介して帯域通過フィルタ３０に入力され、帯域通過フィルタ３０で不要な信号が取り除かれ、増幅器３１で増幅され、ミキサ３３で電圧制御発振器１ｃからの信号と掛け合わされてＩＦ信号に周波数変換され、帯域通過フィルタ３４で不要な信号が取り除かれ、増幅器３５で増幅され、信号処理回路２１に入力される。このようにして、信号の送信及び受信が行われる。
【００４９】
上記構成を有する通信機２は、電気特性の劣化や発振周波数の不安定化を生じにくい電圧制御発振器１ｂ、１ｃを用いているため、電子装置としての出力特性がよい。
【００５０】
以上、通信機２を用いて、本発明の電圧制御発振器を用いた電子装置を説明したが、本発明の電子装置はこの構成の通信機に限られるものではない。
【００５１】
【発明の効果】
本発明の電圧制御発振器によれば、主な信号が通る部分であるインダクタを削ることなく、発振周波数の切替ができるため、電気特性の劣化や発振周波数の不安定化を生じにくい。
【００５２】
また、本発明の電圧制御発振器によれば、発振周波数の切替やＣ／Ｎ特性の改善等のために、主な信号が通る部分であるインダクタを削る必要がないので、インダクタとしてＱ値の高いチップコイルを用いることができる。そして、その場合には、Ｃ／Ｎ特性等の電気特性の向上を図ることができる。
【００５３】
また、本発明の電圧制御発振器によれば、第一及び第二のランドに搭載されたコンデンサの容量値を変更することにより発振周波数を大きく切替えることができるため、ストリップラインを削る必要をなくす、又は、削る量を少なくすることができるので、作業効率がよくなる。
【００５４】
また、本発明の電圧制御発振器の線路素子は、切断する場所により、発振周波数やＣ／Ｎ特性等の電気特性の調整量の大きさが異なるので、適当な場所を選ぶことにより、発振周波数の調整やＣ／Ｎ特性等の電気特性の調整が容易にできる。
【００５５】
また、本発明の電圧制御発振器の共振回路は、発振周波数やＣ／Ｎ特性等の電気特性の調整をするための回路要素として、大きな量の調整ができる第一及び第二のランドと、微少量の調整ができる線路素子とを有するため、設計の自由度が増し、発振周波数やＣ／Ｎ特性等の電気特性の調整が容易にできる。
【００５６】
また、本発明の通信機は、電気特性の劣化や発振周波数の不安定化を生じにくい本発明の電圧制御発振器を用いているため、電子装置としての出力特性がよい。
【図面の簡単な説明】
【図１】本発明の電圧制御発振器の一実施例を示す回路図である。
【図２】本発明の電圧制御発振器の別の実施例を示す平面図である。
【図３】図２の電圧制御発振器に含まれる線路素子の拡大図である。
【図４】本発明の電圧制御発振器の共振回路の更に別の実施例を示す回路図である。
【図５】本発明の電子装置の一実施例を示すブロック図である。
【図６】従来の電圧制御発振器を示す回路図である。
【符号の説明】
１、１ａ、１ａ′、１ｂ、１ｃ…電圧制御発振器
Ｌ１…インダクタ
Ｌａｎｄ１…第一のランド
Ｌａｎｄ２…第二のランド
Ｃ１ａ、Ｃ１ｂ…コンデンサ
Ｌ２ａ、Ｌ２ｂ…線路素子
ＶＤ１…可変容量ダイオード
１１、１１ａ、１１ａ′、１１ｂ、１１ｃ…共振回路
１２…増幅回路
２…電子装置
【図１】
0003740977.tif 000002
【図２】
0003740977.tif 000003
【図３】
0003740977.tif 000004
【図４】
0003740977.tif 000005
【図５】
0003740977.tif 000006
【図６】
0003740977.tif 000007